(57)【要約】【課題】バネを用いることなくアオリ調整を行なうことができるレンズ装置及びこれを具えた撮像装置を提供する。【解決手段】本発明に係るレンズ装置20は、レンズ22を収容するレンズ鏡筒21と、該レンズ鏡筒に弾性樹脂からなるパッキン30を介装してネジ止めにより装着される撮像素子41とを具えるレンズ装置であって、パッキンには、撮像素子をレンズ鏡筒から離れる方向に付勢するアオリ調整部材35が一体成形されている。【選択図】図２
2013157849.tif 000002
【特許請求の範囲】
【請求項１】
レンズを収容するレンズ鏡筒と、該レンズ鏡筒に弾性樹脂からなるパッキンを介装してネジ止めにより装着される撮像素子とを具えるレンズ装置であって、
パッキンには、撮像素子をレンズ鏡筒から離れる方向に付勢するアオリ調整部材が一体成形されていることを特徴とするレンズ装置。
【請求項２】
アオリ調整部材は、円柱状である請求項１に記載のレンズ装置。
【請求項３】
請求項１又は請求項２に記載のレンズ装置を具える撮像装置。
【発明の詳細な説明】
【技術分野】
【０００１】
本発明は、撮像素子のアオリ調整を行なうことのできるレンズ装置及びこれを具えた撮像装置に関するものである。
【背景技術】
【０００２】
ＣＣＤやＣＭＯＳ等の撮像素子により得られた撮像信号をデジタル画像データに変換し、ディスプレイ表示やメモリなどに記憶するデジタルカメラが知られている。
【０００３】
この種のデジタルカメラでは、撮像素子の受光面の中心がレンズの光軸と一致し、また、受光面とレンズ光軸が垂直となるように、撮像素子をレンズ鏡筒に取り付けなければならない。
【０００４】
しかしながら、撮像素子やレンズ、レンズ鏡筒などの各部品にバラツキがあるから、単にこれらを組み立てただけでは、撮像素子の受光面がレンズ光軸に対して傾いてしまうことがある。このため、レンズを収容するレンズ鏡筒に対して傾き調整する所謂チルト調整を行なう必要がある。
【０００５】
フランジバックについても同様であり、上記部品のバラツキがあるから、撮像素子とレンズとの間の距離を調整する所謂フランジバック調整を行なう必要がある。
【０００６】
そこで、特許文献１では、撮像素子とレンズ鏡筒との間に複数のバネを嵌装すると共に、撮像素子をレンズ鏡筒に複数のネジで取り付けた構成を開示しており、各ネジのねじ込み量を調整することで、上記チルト調整やフランジバック調整(以下、これらをまとめて「アオリ調整」と称する)を行なうようにしている。
【先行技術文献】
【特許文献】
【０００７】
【特許文献１】特開２０１１−１８８２５４号公報
【発明の概要】
【発明が解決しようとする課題】
【０００８】
しかしながら、撮像素子は非常に小さい電子部品であり、このアオリ調整を行なうために、複数の微小なバネを装着する作業は非常に困難である。例えば、バネ取付時にバネどうしが絡みついている場合には、バネのバラシ作業が必要であり、また、個々のバネをレンズ鏡筒に載せ置いたり、撮像素子をバネの上からレンズ鏡筒に装着するときに、バネが飛んでしまうこともある。
また、複数のバネを用いることは部品点数の増加にも繋がる。
【０００９】
さらには、微小なバネはバネ強さに約１０％のバラツキがある場合があり、複数のバネを使用する場合には、そのバラツキによりアオリ調整が困難となることがある。また、バネ強さの大きいバネを使用すると座屈してしまう虞もある。
【００１０】
本発明の目的は、バネを用いることなくアオリ調整を行なうことができるレンズ装置及びこれを具えた撮像装置を提供することである。
【課題を解決するための手段】
【００１１】
本発明に係るレンズ装置は、
レンズを収容するレンズ鏡筒と、該レンズ鏡筒に弾性樹脂からなるパッキンを介装してネジ止めにより装着される撮像素子とを具えるレンズ装置であって、
パッキンには、撮像素子をレンズ鏡筒から離れる方向に付勢するアオリ調整部材が一体成形されている。
【発明の効果】
【００１２】
本発明のレンズ装置によれば、従来のように複数の微小なバネを用いることなく、パッキンに一体成形されたアオリ調整部材により撮像素子を付勢することができるから、撮像素子の取付けに伴うレンズ装置の組立工程を簡略化でき、また、部品点数を削減できる。
【００１３】
また、アオリ調整部材をパッキンと同じゴムなどの弾性樹脂から構成することで、バネに比して部品の精度を高めることができ、レンズ鏡筒に安定して撮像素子を保持することができる。
【図面の簡単な説明】
【００１４】
【図１】図１は、本発明の一実施例であるレンズ装置を搭載したデジタルカメラを斜め前方から見た斜視図である。
【図２】図２は、本発明の一実施例であるレンズ装置の分解斜視図である。
【図３】図３は、撮像素子ユニットのレンズ鏡筒への取付状態を示す部分拡大断面図である。
【発明を実施するための形態】
【００１５】
以下、撮像装置としてデジタルカメラ(10)に本発明を適用した実施例について説明する。
【００１６】
図１は、本発明の一実施例であるデジタルカメラ(10)の外観を示している。デジタルカメラ(10)は、前面側に図中点線で示すレンズ装置(20)に組み込まれたレンズ(22)、ストロボ光を照射するフラッシュ部(11)が露呈するよう配備され、上面にシャッタボタン(12)、電源ボタン(13)等を具える。
また、図示はしないが、デジタルカメラ(10)の背面には、液晶ディスプレイ等の表示画面、ファインダー、ズームスイッチ、モード選択用スイッチなどを有し、下面には、バッテリやメモリのスロットなどを有する。
【００１７】
デジタルカメラ(10)の内部には、図１及び図２で示すレンズ装置(20)が内装されている。
【００１８】
レンズ装置(20)は、図２に示すように、複数のレンズ(22)(23)等を収容するレンズ鏡筒(21)と、レンズ鏡筒(21)にパッキン(30)を介して装着されるＣＣＤやＣＭＯＳなどの撮像素子(41)を有する撮像素子ユニット(40)を具える。
【００１９】
図示のレンズ装置(20)は、デジタルカメラ(10)の薄型化を図るために、プリズムを用いて光路を９０度屈曲させる屈曲光学系のレンズ装置を例示している。
レンズ装置(20)は、デジタルカメラ(10)から露呈するレンズ(22)が前面に取り付けられた樹脂製中空のレンズ鏡筒(21)の内部に、レンズ(22)からの光路を屈曲させるプリズムやレンズ群、シャッタユニット、ピント調整レンズ、さらに、レンズ鏡筒(21)の下端近傍には図２に示すようにレンズ(23)が収容されている。
【００２０】
シャッタユニット及びピント調整レンズは、レンズ鏡筒(21)の内部でモータ等により光軸に沿って上下方向に移動可能とすることができる。
【００２１】
レンズ鏡筒(21)の下端には、矩形のリム(24)が突設されており、該リム(24)により形成される凹部に光学ローパスフィルタ(26)が装着される。
【００２２】
リム(24)の外周、より具体的には矩形のリム(24)の長手方向の両側には、撮像素子ユニット(40)の取付け及びアオリ調整するためのネジ(47)が嵌まるネジ穴(27)と、撮像素子ユニット(40)のアオリ調整用のアオリ調整部材(35)を位置決めする凹み(28)が形成されている。
図示の実施例では、ネジ穴(27)及び凹み(28)は夫々３個ずつ形成しており、凹み(28)は、ネジ穴(27)よりもリム(24)側に凹設している。
【００２３】
レンズ鏡筒(21)の下面と撮像素子ユニット(40)との間には、塵や光などの侵入を防止するゴム等の弾性樹脂から構成されるパッキン(30)が介装される。パッキン(30)は、レンズ鏡筒(21)のレンズ(23)と対向する位置に光路の一部を形成する開口(31)が形成されており、該開口(31)の周縁には、レンズ鏡筒(21)側に前記リム(24)と係合可能な溝(32)が凹設されている。また、撮像素子ユニット(40)側は矩形に広がっており、その周縁には撮像素子ユニット(40)と密着可能となると共に補強用の矩形のリブ(33)が突設されている。
【００２４】
さらに、パッキン(30)の周縁、より具体的には、矩形のパッキン(30)の長手方向の両側には、撮像素子ユニット(40)のアオリ調整用のアオリ調整部材(35)が形成されている。
【００２５】
アオリ調整部材(35)は、図２及び図３に示すように、パッキン(30)と一体成形により形成することができる。図示のアオリ調整部材(35)は、３本の円柱状の部材から構成しており、アオリ調整部材(35)は、レンズ鏡筒(21)側の端部が前記凹み(28)に夫々嵌まって位置決めされ、撮像素子ユニット(40)側の端部が撮像素子ユニット(40)と当接するよう形成される。より具体的には、撮像素子ユニット(40)をネジ止めしてアオリ調整を行なっても、アオリ調整部材(35)が圧縮により弾性変形した状態で、凹み(28)及び撮像素子ユニット(40)から離間しない長さとする。
【００２６】
上記アオリ調整部材(35)を具えるパッキン(30)は、リム(24)に溝(32)が嵌まり、凹み(28)にアオリ調整部材(35)が嵌まるようにレンズ鏡筒(21)に装着される。
【００２７】
撮像素子ユニット(40)は、図２及び図３に示すように、ＣＣＤやＣＭＯＳ等の撮像素子(41)と、該撮像素子(41)に電気的に接続される基板(42)、及び、撮像素子(41)の放熱及び保持用のプレート(44)を積層して構成される。基板(42)は、フレキシブル基板(43)などを介してデジタルカメラ(10)の制御部(図示せず)に電気的に接続される。
【００２８】
プレート(44)は、銅や銅合金などの放熱性にすぐれ、所定の強度を具備する金属から形成することができ、プレート(44)には、前記レンズ鏡筒(21)のネジ穴(27)と対向する位置にネジ孔(45)が開設されている。また、プレート(44)には、前記パッキン(30)のアオリ調整部材(35)が当接可能となっている。
【００２９】
プレート(44)は、レンズ鏡筒(21)にパッキン(30)を挟むようにして装着されて、ネジ(47)止めされる。このとき、パッキン(30)のリブ(33)は撮像素子(41)の非受光面部分である周縁近傍に当接し、アオリ調整部材(35)は、プレート(44)に当接する。
【００３０】
上記構成のレンズ装置(20)において、アオリ調整部材(35)は、レンズ鏡筒(21)と撮像素子ユニット(40)によって挟まれて弾性変形により圧縮され、撮像素子ユニット(40)をレンズ鏡筒(21)から遠ざける方向に常時付勢する。
【００３１】
この状態で、ネジ(47)(図示では３本)のねじ込み量を適宜調整することで、レンズ(22)(23)の光軸に対して撮像素子(41)の受光面を傾けてチルト調整したり、撮像素子(41)の受光面とレンズとの間の距離を変えてフランジバック調整することができる。
【００３２】
上記のように、本発明のレンズ装置(20)によれば、従来のように複数の微小なバネを用いることなく、パッキン(30)に一体成形されたアオリ調整部材(35)により撮像素子(41)を付勢することができるから、撮像素子(41)の取付けに伴うレンズ装置(20)の組立工程を簡略化でき、また、部品点数を削減できる。
【００３３】
また、アオリ調整部材(35)をパッキン(30)と同じゴムなどの弾性樹脂から構成することで、バネに比して部品の精度を高めることができる。具体的には、アオリ調整部材(35)の部品間のバラツキを約３〜５％以下に抑えることができ、レンズ鏡筒(21)に安定して撮像素子を保持することができる。
【００３４】
なお、上記実施例では、レンズ装置(20)は、屈曲光学系としているが、これに限定されるものではない。
また、パッキン(30)に一体に成形されるアオリ調整部材(35)の数や形状、さらには、撮像素子ユニット(40)を取り付けるネジ(47)の数なども上記実施例に限定されるのではないことは明らかである。
【産業上の利用可能性】
【００３５】
本発明は、アオリ調整が必要な撮像素子を有するレンズ装置及びこれを具えた撮像装置として有用である。
【符号の説明】
【００３６】
(10)  デジタルカメラ(撮像装置)
(20)  レンズ装置
(21)  レンズ鏡筒
(30)  パッキン
(35)  アオリ調整部材
(40)  撮像素子ユニット
(41)  撮像素子
【図１】
2013157849.tif 000003
【図２】
2013157849.tif 000004
【図３】
2013157849.tif 000005